(57)【特許請求の範囲】
【請求項１】
かつらベース（２）と、このかつらベースに固定された毛（３）と、かつら着用者の自毛にかつらベース（２）を保持するための少なくとも１個の保持具（４）とを備え、この保持具（４）が偏平材料（１１）に形成された、エッジ側を閉じている切欠き（１０）と、この切欠き（１０）に通した着用者の自毛（７）を固定するための手段とを備えている、かつら（１）において、
固定するための手段が、切欠き（１０）に隣接して偏平材料（１１）の外面上に設けられた接着面（８）と、この接着面（８）に押し付けられる着用者の自毛（７）に貼り付けるための自己接着式ヘアバンド（５）の部分（１４）とを備えていること、
切欠き（１０）がかつらベース（２）のエッジ領域（１３）に設けられ、毛（３）が、切欠き（１０）の上方、およびこの切欠き（１０）の両側および切欠きに隣接する接着面（８）の両側においてかつらベース（２）のエッジ領域（１３）に固定されていること、
かつらベース（２）がネット状かつらベースであることと、ネット状かつらベースのエッジ領域（１３）がコーティングによって補強されていること、
切欠き（１０）がスリット状であることと、接着面（８）が切欠き（１０）に対して平行に延在していること、
スリットの長さが１〜３ｃｍで、幅が１〜５ｍｍであること、
かつらベース（２）と同じ毛（３）がヘアバンド（５）に固定されていること、
毛（３、６）が結び付け、差込みおよび／または接着によってかつらベース（２）および／またはヘアバンド（５）に固定されていること、
切欠き（１０）の下方からエッジ領域の外端まで、この接着面（８）が延在していること、
接着面（８）が毛（３）で覆ったかつらベース（２）のエッジ領域（１３）を中断すること、および、
この中断がヘアバンド（５）の貼り付けによって排除されること、
を特徴とするかつら。
【請求項２】
請求項１に記載のかつらに備えられた、保持具。
【発明の詳細な説明】
【技術分野】
【０００１】
本発明は、かつらベースと、このかつらベースに固定された毛と、かつら着用者の自毛にかつらベースを保持するための少なくとも１個の保持具とを備え、この保持具が偏平材料に形成された、エッジ側を閉じている切欠きと、この切欠きに通した着用者の自毛を固定するための手段とを備えている、かつらに関する。本発明はさらに、偏平材料の部分に形成された、エッジ側を閉じている切欠きと、この切欠きに通した着用者の自毛を固定するための手段とを備えている、かつら着用者の自毛にかつらベースを保持するために、かつらベースに固定する保持具に関する。
【背景技術】
【０００２】
かつら着用者の自毛にかつらを保持するためにいろいろな保持具が知られている。これには、冒頭に述べた種類の保持具も含まれる。この保持具はそれぞれのかつらベースのエッジ領域に縫い付けられ、それによって冒頭に述べた種類のかつらが生じる。冒頭に述べた種類のこのかつらの場合、スリット状の切欠きが保持具においてかつらベースのエッジに対して平行に延在している。各スリットは長さが約４〜５ｃｍで、着用者の一房の自毛を通すために役立つ。この一房の自毛はかつらベースとは反対の切欠きの側に配置されたヘアピンによって固定される。これにより、かつらベース、ひいてはかつら全体が着用者の自毛に保持される。この公知の保持具の欠点は、保持具が比較的に大きく着ぶくれし、特にヘアピンの領域においてかつら着用者の頭に倣った形を生じないことである。かつら着用者の自毛を効果的に固定するために、強い締付け力を自毛に加え、さらに自毛を曲げなければならない。その結果、自毛が傷む、特に切れるという大きな危険が生じる。この公知の保持具は短い毛のかつらには適していない。というのは、ヘアピンが外から見えるからである。
【０００３】
冒頭に述べた種類の公知の保持具は、本出願人の知るところでは、公知の欠点のため、もはや市販されていない。かつら着用者の自毛にかつらを保持するための普通の保持手段は例えば、着用者の自毛によって形成された編みエッジにかつらベースを縫い付けることあるいはかつらベースの切欠きにかつら着用者の自毛を通すことである。この場合、金属スリーブが着用者の他の自毛と共に、通された自毛に固定される。この手段の欠点は、実施のために非常に時間がかかるかまたは特に短い毛のかつらの場合に人に気づかれやすいことである。
【０００４】
特許文献１によって、自己接着式ヘアバンドに基づく、毛を補うための装置が知られている。毛を補う際に、着用者の自毛からなる房を介在して、ヘアバンドの２つの部分が互いに接着される。これによって、その間にある着用者の自毛が、両ヘアバンドの自己接着式領域の間で、そこにある接着剤によって封止されるので、補った毛が複数回の洗髪にわたって持続的に固着される。
【０００５】
特許文献２によって、毛を延長させる装置が知られている。この装置は基礎要素を備え、この基礎要素は、毛を延長させる人の自毛の間に挟んで接着するために、両側が粘着質である。
【０００６】
特許文献３によって、異質の毛を固定するための装置が知られている。この異質の毛はベースとして、曲げることができる二重テープを備えている。この二重テープの部分の間に、着用者の自毛の房が挟まれて接着される。
【０００７】
特許文献４によって、エッジの下面に固定具を備えたかつらベースが知られている。この固定具は、折畳み可能で互いに接着可能な２個の要素を備えている。一方の要素はかつらベースのエッジに固定され、他方の要素はかつら着用者の自毛を通すためのスリットを備えている。スリットに通された自毛は互いに接着された固定具の要素の間で固定される。
【０００８】
特許文献５によってヘアバンドが知られている。このヘアバンドはその主延長方向に対して横方向に張り出した毛を備えている。ヘアバンドは着用者の自毛を通すことができる固定穴を有する。接着剤を用いて着用者の自毛をヘアバンドに接着することにより、ヘアバンドを着用者の自毛に固定することができる。
【０００９】
特許文献６によって知られている、着用者の自毛に対するかつらの固定方法では、着用者の自毛がかつらベースの切欠きに通され、そして折り曲げられて再び元の延長方向に向けられ、そしてかつらベースに接着固定される。そのために、かつらベースはその上の毛を覆い隠すことができるエッジを備えている。
【００１０】
特許文献７によってヘアピース構造体が知られている。このヘアピース構造体は、ヘアピース着用者の頭上に配置され、そこの自毛に固定される保持具と、保持構造体に固定されるヘアピースとを備えている。保持構造体は着用者の自毛を通すことができる穴を有し、それによって続いて支持構造体に保持することが可能である。ヘアピースは続いて、接着によって支持構造体に取り外し可能に固定される。
【００１１】
【特許文献１】独国実用新案第２０  ２００５  ０１０  ８４５  Ｕ１号明細書
【特許文献２】米国特許第５，８８１，７３７号明細書
【特許文献３】オーストリア国特許第３３０１１７号明細書
【特許文献４】ヨーロッパ特許明細書翻訳文公報  ＤＥ６９８  ２８  ６９３  Ｔ２
【特許文献５】国際公開第２００５／０４４０３１Ａ１号パンフレット
【特許文献６】欧州特許出願公開第０  ９１９  １４９  Ａ１号明細書
【特許文献７】米国特許第３，７６０，８１８号明細書
【発明の開示】
【発明が解決しようとする課題】
【００１２】
本発明の根底をなす課題は、かつらを着用者の自毛にきわめて迅速にかつ目立たないように保持することができる、冒頭に述べた種類のかつらおよび保持具を提供することである。
【課題を解決するための手段】
【００１３】
本発明の課題は、独立請求項１の特徴を有するかつらの特徴を有する保持具によって解決される。
【００１４】
本発明の場合、保持具の切欠きに通された着用者の自毛を固定するための手段は、切欠きに隣接して偏平材料の外面上に設けられた接着面と、この接着面に押し付けられる着用者の自毛に貼り付けるための自己接着式ヘアバンドの部分とを備えている。かつらを着用者の自毛に保持する際、切欠きに通された着用者の自毛は先ず最初に接着面に押し付けられる。自毛を完全に固定するために、ヘアバンドが接着面に押し付けられた自毛に貼り付けられるので、この自毛は接着面との接触領域において接着面と自己接着式ヘアバンドとの間で封止される。この封止によって、自毛は持続的にかつかつらと共に自毛を複数回洗髪する間にわたって固定される。同様に、着用者の自毛に対するかつらベースの保持も持続的に行われる。同時に、新しい保持具は、接着部を溶かす溶剤を吹き付けることにより、かつらを取り外すために保持具上での自毛の固定を意図的に解除することを可能にする。理解されるように、本発明の場合、自己接着式ヘアバンドの大きさを保持具の接着面にあわせるべきである。自己接着式ヘアバンドは、例えば保持具の隣接領域を覆うために、接着面よりも幾分大きくてもよい。それにより、保持具全体がヘアバンドによって見えなくなる。
【００１５】
これは、保持具の切欠きがかつらベースのエッジ領域に設けられ、毛が切欠きの両側および切欠きに隣接する保持具の接着面の両側においてかつらベースのエッジ領域に固定されていると、きわめて良好に行われる。従って、接着面は毛で覆ったかつらベースのエッジ領域を中断する。この中断はヘアバンドの貼り付けによって排除される。
【００１６】
特に、保持具の切欠きが偏平材料としてのかつらベースのエッジ領域に直接設けられ、かつらベースがネット状かつらベースであるとき、エッジ領域がかつらベースの不意の引き裂きを防止するコーティングによって補強されていると有利である。
【００１７】
しかし、切欠きはかつらベースに固定された偏平材料からなる別個の部分に設けてもよい。理解されるように、偏平材料とは平らな材料だけでなく可撓性材料も含むと解釈すべきである。それによって、偏平材料はその都度のかつら着用者の頭の輪郭に合わせることができる。さらに、偏平材料はできるだけ耐裂性であるべきである。
【００１８】
偏平材料からなる別個の部分はかつらベースのエッジ領域に固定可能である。この場合、このエッジ領域から、切欠きと隣接する接着面が張り出していなければならない。隣接する接着面は着用者の自毛を保持具に固定する際に、貼り付けられるヘアバンドによって覆われる。
【００１９】
保持具の切欠き自体は好ましくはスリット状であり、かつらベースの切欠きに対して平行に向いている。接着面はスリット状切欠きに対して平行に、好ましくはテープ状に延在している。
【００２０】
スリットの長さは好ましくは１０〜３０ｍｍである。望ましい範囲は約２０ｍｍである。長いスリットは保持具の安定性を低下させる。短いスリットの場合には、確実に固定可能な自毛の数が急速に減少する。
【００２１】
貼り付けられるヘアバンドによって保持具をきわめて良好に隠蔽するために、その都度のかつらベースとできるだけ同じ毛がヘアバンドに固定されている。かつらベースとヘアバンドにおける毛の固定方法は同様に同一とすることができる。しかし、固定方法は異なっていてもよい。その場合、普通の技術は、特許文献１のヘアバンドで行われているような結び付け、差込みまたは接着である。
【００２２】
付加的な手段を用いないで、新規な保持具によって、着用者の自毛の薄い房、すなわちほぼ単層の房だけを、接着面と自己接着式ヘアバンドとの間に挟んで接着することによって固定することができる。かつらベースの保持を各保持具の領域において着用者の多くの自毛によって行うべきときには、ヘアバンドの部分を貼り付ける前に、接着面に押し付けられた着用者の自毛に塗布するための液体接着剤が使用できる。この液体接着剤は接着面とヘアバンドとの間で多数の毛を封止する。
【００２３】
本発明の有利な他の実施形態は、従属請求項と明細書全体から明らかである。他の特徴は図から明らかであり、特に複数の部品の図示した形状および相対寸法と、部品の相対配置および作用連結から明らかである。本発明の異なる実施形態の特徴の組み合わせも同様に可能であり、提案される。これは、別の図に示した特徴または別の図で説明した特徴に関するものである。この特徴は異なる請求項の特徴とも組み合わせ可能である。
【発明を実施するための最良の形態】
【００２４】
次に、図に示した有利な実施形態に基づいて本発明をさらに説明および記述する。
【００２５】
図１と２に示したかつら１のエッジ領域１３において、ネット状かつらベースとして形成され毛３が植設されているかつらベース２は、コーティングによって補強されて耐裂性の偏平材料１１を形成している。この偏平材料１１には、エッジ領域１３の主延長方向に対して平行に延在する幅が約３ｍｍで長さが２０ｍｍのスリット状切欠き１０が設けられている。切欠きの下方からエッジ領域の外端まで、接着面８が延在している。切欠き１０の上方および切欠き１０と接着面８の側方において、かつらベース２には毛３が固定されている。かつら着用者の自毛７にかつら１を保持するために、自毛７は切欠き１０に通して引っ張られ、そして接着面８に押し付けられる。続いて、自毛７を完全に固定するために、自己接着式ヘアバンド５の部分１４の接着面９が、接着面８に押し付けられた自毛７に接着される。この自己接着式ヘアバンドの部分の大きさは接着面８に一致している。ヘアバンド５に直接された毛６は、接着面８を越えてかつらベース２の毛植設部を補う。さらに、自毛７は偏平材料１１とヘアバンド５上の接着面８と９との間で封止される。従って、例えば汗が自毛７に沿って流れ落ちることがない。汗は自毛７の接着の安定性を危うくする。かつら１の着用者は、接着面８と９との間で自毛７を接着の危険にさらすことなく、かつらの毛３およびヘアバンドの毛６と共にその自毛７を洗うことができる。
【００２６】
図１と２に示したかつらの場合に一体部品として形成された保持具４には、図３に別個に示したヘアバンド５の部分１４も所属し、この保持具は、かつらベース２に縫い付けられる別個の要素または他の方法でかつらベース２に固定される別個の要素として設けることが可能である。これは図４と５に示してある。図５は大きさが図４の接着面８に合わせられたヘアバンド５の部分１４を示している。図４は耐裂性合成樹脂フィルムの形をした偏平材料製の部分１２を示している。この部分には切欠き１０が設けられている。切欠き１０の下方において、接着面８が部分１２の側方端部まで延在している。図示していない着用者の自毛７がかつらベースに固定した部分１２の切欠き１０に通されて、接着面８に押し付けられるや否や、切欠き１０の下方の接着面８全体、ひいては部分１２全体が、図５に示したヘアバンド５の部分１４によって覆われる。図５のヘアバンド５は、毛６を平行に並べて接着した自己接着式ヘアバンドである。このようなヘアバンドも、特にストレートヘアスタイルの場合に固定具４をきわめて良好に隠蔽する。
【図面の簡単な説明】
【００２７】
【図１】保持具を有するかつらのエッジ領域の断面図である。
【図２】図１に示した保持具の接着面の平面図である。
【図３】図２に示した接着面上に接着するための自己接着式ヘアバンドの部分を示す図である。
【図４】接着面方向に見た、別個の保持具の偏平材料の部分を示す図である。
【図５】図４の保持具に属する自己接着式ヘアバンドの部分を示す図である。
【符号の説明】
【００２８】
１  かつら
２  かつらベース
３  毛
４  保持具
５  ヘアバンド
６  毛
７  毛
８  接着面
９  接着面
１０  切欠き
１１  偏平材料
１２  部分
１３  エッジ領域
１４  部分
【図１】
0005143134.tif 000002
【図２】
0005143134.tif 000003
【図３】
0005143134.tif 000004
【図４】
0005143134.tif 000005
【図５】
0005143134.tif 000006